(57)【特許請求の範囲】
【請求項１】
無線端末であって、第１無線装置にフィードバック情報を送信可能な状態において、前記第１無線装置に隣接する第２無線装置が形成する指向性ビームのヌル点が前記無線端末の方向に向く送信アンテナ重みを示すインジケータを送信する送信部を備える無線端末。
【請求項２】
無線端末に適用されるプロセッサであって、
前記無線端末が、第１無線装置にフィードバック情報を送信可能な状態において、前記第１無線装置に隣接する第２無線装置が形成する指向性ビームのヌル点が前記無線端末の方向に向く送信アンテナ重みを示すインジケータを送信する処理を実行するプロセッサ。
【発明の詳細な説明】
【技術分野】
【０００１】
本発明は、マルチアンテナ技術が用いられる無線通信システム、無線端末、制御装置、及び無線通信方法に関する。
【背景技術】
【０００２】
近年、無線通信システムでは、有限な周波数帯域を効率的に利用するために、無線信号の送信側又は受信側の少なくとも一方が複数のアンテナを用いるマルチアンテナ技術が利用されている。マルチアンテナ技術の一つとして、複数の送信アンテナを介して同一の周波数を用いる信号系列を複数同時に送信するとともに、複数の受信アンテナを介して当該信号系列を受信し、各信号系列に分離する複数入力複数出力（ＭＩＭＯ）通信が知られている。
【０００３】
ＭＩＭＯ通信には、受信側が、送信側との間の伝搬路特性を推定し、推定した伝搬路特性に基づくフィードバック情報を送信側にフィードバックする方式（いわゆる、閉ループＭＩＭＯ）がある。送信側は、受信側からのフィードバック情報に基づいて、各種の送信制御、例えば送信アンテナ毎の重み付けを行う。閉ループＭＩＭＯによれば、送信側が伝搬路特性の変化に適応した送信制御を行うことができるため、通信品質を改善することができる。
【先行技術文献】
【特許文献】
【０００４】
【特許文献１】特表２００８-５３６３４２号公報
【発明の概要】
【発明が解決しようとする課題】
【０００５】
ところで、近年では、周波数帯域をさらに効率的に利用するために、隣接するセル間で同一の通信チャネル（具体的には、同一の周波数）を使用する無線通信システムが実現されている。
【０００６】
このような無線通信システムにおける下り方向通信では、無線信号の受信側となる無線端末は、接続先の無線基地局からの所望信号だけでなく、周辺に位置する他の無線基地局からの干渉信号を受信する場合がある。
【０００７】
しかしながら、上述した閉ループＭＩＭＯにおいては、送信側と受信側との間で閉じたフィードバック制御を行っており、無線端末が干渉信号を受信する場合には、通信品質を十分に改善することができない問題があった。
【０００８】
そこで、本発明は、下り方向通信において無線端末が干渉信号を受信する場合であっても、通信品質を十分に改善することができる無線通信システム、無線端末、制御装置、及び無線通信方法を提供することを目的とする。
【課題を解決するための手段】
【０００９】
上述した課題を解決するために、本発明は以下のような特徴を有している。まず、本発明の第１の特徴は、第１無線端末（無線端末ＵＥ１）と、複数の第１送信アンテナ（アンテナ３０１〜３０４）を介して、所定の無線リソース（チャネルＡ）を用いて第１無線信号を前記第１無線端末に送信可能な第１無線装置（無線基地局ＢＳ１）と、複数の第２送信アンテナ（アンテナ４０１〜４０４）を介して、前記所定の無線リソースを用いて第２無線信号を送信可能な第２無線装置（無線基地局ＢＳ２）と、を有し、前記第２無線装置から前記第２無線信号を受信した前記第１無線端末は、前記第２無線装置が形成する指向性ビームのヌル点が前記第１無線端末の方向に向く送信アンテナ重みを示すインジケータを前記第１無線装置に送信することを要旨とする。
【００１０】
このような無線通信システムによれば、第１無線端末が第２無線装置から第２無線信号（すなわち、干渉信号）を受信する場合に、第２無線装置において、第１無線端末の方向にヌル点を向けることができるため、第１無線端末が第２無線信号を受信することを回避でき、第１無線端末における通信品質を十分に改善することができる。
【００１１】
本発明の第２の特徴は、本発明の第１の特徴に係り、前記第２無線装置は、前記インジケータと、前記無線信号を受信した第２無線端末からフィードバックされるフィードバック情報とに基づいて、前記第１無線端末の方向に前記ヌル点を向け、且つ、前記第２無線端末の方向に前記指向性ビームを向けて、前記第２無線信号を送信することを要旨とする。
【００１２】
本発明の第３の特徴は、本発明の第１又は第２の特徴に係り、前記第１無線装置と前記第２無線装置とを制御する制御装置（制御装置１００Ａ又は１００Ｂ）を備え、前記制御装置は、前記第１無線装置に含まれることを要旨とする。
【００１３】
本発明の第４の特徴は、本発明の第１又は第２の特徴に係り、前記第１無線装置と前記第２無線装置とを制御する制御装置を備え、前記制御装置は、前記第１無線装置と前記第２無線装置とは個別に設けられることを要旨とする。
【００１４】
本発明の第５の特徴は、本発明の第１〜第４の何れかの特徴に係り、前記第１無線装置と前記第２無線装置とを制御する制御装置を備え、前記第１無線端末は、前記第２無線信号に基づいて、前記第２無線装置を識別する装置識別情報を前記第１無線装置に送信し、前記制御装置は、前記第１無線装置が受信した前記装置識別情報に基づいて、複数の無線装置の中から前記第２無線装置を特定し、前記特定した第２無線装置に対し、前記インジケータを送信することを要旨とする。
【００１５】
本発明の第６の特徴は、本発明の第１〜第４の何れかの特徴に係り、前記第１無線装置と前記第２無線装置とを制御する制御装置を備え、前記制御装置は、前記インジケータと前記第２無線装置とを対応付けた対応情報を予め保持し、前記第１無線装置が受信した前記インジケータと、前記保持している対応情報とに基づいて、複数の無線装置の中から前記第２無線装置を特定し、前記特定した第２無線装置に対し、前記インジケータを送信することを要旨とする。
【００１６】
本発明の第７の特徴は、第１無線装置（無線基地局ＢＳ１）が所定の無線リソース（チャネルＡ）を用いて複数の第１送信アンテナ（アンテナ３０１〜３０４）を介して送信した第１無線信号と、第２無線装置（無線基地局ＢＳ２）が前記所定の無線リソースを用いて複数の第２送信アンテナ（アンテナ４０１〜４０４）を介して送信した第２無線信号と、を受信可能な受信部（受信部２１１）を有する無線端末（無線端末ＵＥ１）であって、前記第２無線装置が形成する指向性ビームのヌル点が前記無線端末の方向に向く送信アンテナ重みを示すインジケータを前記第１無線装置に送信する送信部（送信部２１２）とを備えることを要旨とする。
【００１７】
本発明の第８の特徴は、所定の無線リソース（チャネルＡ）を用いて第１無線信号を複数の第１送信アンテナ（アンテナ３０１〜３０４）を介して第１無線端末（無線端末ＵＥ１）に送信可能な第１無線装置（無線基地局ＢＳ１）と、前記所定の無線リソースを用いて第２無線信号を複数の第２送信アンテナ（アンテナ４０１〜４０４）を介して送信可能な第２無線装置（無線基地局ＢＳ２）とを制御する制御装置（制御装置１００Ａ又は１００Ｂ）であって、前記第２無線装置が形成する指向性ビームのヌル点が前記第１無線端末の方向に向く送信アンテナ重みを示すインジケータを、を前記第１無線装置が前記第１無線端末から受信した場合に、前記インジケータを前記第２無線装置に送信する送信部（送信部１１２）を備えることを要旨とする。
【００１８】
本発明の第９の特徴は、所定の無線リソース（チャネルＡ）を用いて第１無線信号を複数の第１送信アンテナ（アンテナ３０１〜３０４）を介して第１無線装置（無線基地局ＢＳ１）から第１無線端末（無線端末ＵＥ１）に送信するステップ（ステップＳ１０１又はＳ２０１）と、前記所定の無線リソースを用いて第２無線信号を複数の第２送信アンテナ（アンテナ４０１〜４０４）を介して第２無線装置（無線基地局ＢＳ２）から送信するステップ（ステップＳ１０２又はＳ２０２）と、前記第２無線装置から前記第２無線信号を受信した前記第１無線端末が、前記第２無線装置が形成する指向性ビームのヌル点が前記第１無線端末の方向に向く送信アンテナ重みを示すインジケータを前記第１無線装置に送信するステップ（ステップＳ１１１ａ又はＳ２１１ａ）とを備えることを要旨とする。
【発明の効果】
【００１９】
本発明によれば、下り方向通信において無線端末が干渉信号を受信する場合であっても、通信品質を十分に改善することができる無線通信システム、無線端末、制御装置、及び無線通信方法を提供できる。
【図面の簡単な説明】
【００２０】
【図１】本発明の第１実施形態に係る無線通信システムの全体構成図である。
【図２】本発明の第１実施形態に係る無線通信システムにおいて用いられるチャネルを説明するための図である。
【図３】本発明の第１実施形態に係る無線通信システムの概略動作を説明するための図である。
【図４】本発明の第１実施形態に係る無線端末の構成を示す機能ブロック図である。
【図５】本発明の第１実施形態に係る無線基地局（第１無線基地局）の構成を示す機能ブロック図である。
【図６】本発明の第１実施形態に係る制御装置の構成を示す機能ブロック図である。
【図７】本発明の第１実施形態に係る無線基地局（第２無線基地局）の構成を示す機能ブロック図である。
【図８】本発明の第１実施形態において実行される送信指向性制御の詳細について説明するための図である。
【図９】本発明の第１実施形態において実行される送信指向性制御の詳細について説明するための図である。
【図１０】本発明の第１実施形態に係る無線通信システムの動作を示す動作シーケンス図である。
【図１１】本発明の第２実施形態に係る無線通信システムの全体構成図である。
【図１２】本発明の第２実施形態に係る無線基地局（第１無線基地局）の構成を示す機能ブロック図である。
【図１３】本発明の第２実施形態に係る無線通信システムの動作を示す動作シーケンス図である。
【発明を実施するための形態】
【００２１】
次に、図面を参照して、本発明の第１実施形態及び第２実施形態を説明する。以下の実施形態における図面の記載において、同一又は類似の部分には同一又は類似の符号を付している。
【００２２】
［第１実施形態］  
第１実施形態では、（１）無線通信システム１０Ａの概要、（２）無線通信システム１０Ａの詳細構成、（３）無線基地局ＢＳ２における送信指向性制御、（４）無線通信システムの動作、（５）効果について説明する。
【００２３】
（１）無線通信システム１０Ａの概要  
無線通信システム１０Ａの概要について、（１．１）無線通信システム１０Ａの概略構成、（１．２）無線通信システム１０Ａの概略動作の順に説明する。
【００２４】
（１．１）無線通信システム１０Ａの概略構成  
図１は、第１実施形態に係る無線通信システム１０Ａの全体構成図である。
【００２５】
図１に示すように、無線通信システム１０Ａは、無線端末ＵＥ１、無線端末ＵＥ２、無線端末ＵＥ３、無線端末ＵＥ４、無線端末ＵＥ５、無線基地局ＢＳ１（第１無線基地局）、無線基地局ＢＳ２（第２無線基地局）、及び制御装置１００Ａを有する。
【００２６】
図１では、説明の便宜上、無線基地局ＢＳ１及び無線基地局ＢＳ２のみを図示しているが、実際には、無線基地局ＢＳ１及び無線基地局ＢＳ２それぞれに隣接して他の無線基地局が設置されている。
【００２７】
無線通信システム１０Ａは、３ＧＰＰ（3rd Generation Partnership Project）において標準化されているＬＴＥ（Long Term Evolution）規格に基づく構成を有している。第１実施形態では、主に下り方向（以下、ダウンリンク）通信について説明する。
【００２８】
無線基地局ＢＳ１は、セルＣ１内に位置する無線端末ＵＥ１〜ＵＥ４の接続先であり、無線端末ＵＥ１〜ＵＥ４とダウンリンク通信を実行する。無線端末ＵＥ１〜ＵＥ４のうち無線端末ＵＥ１〜ＵＥ３は、セルＣ１の端部に位置している。
【００２９】
無線基地局ＢＳ２は、セルＣ１に隣接するセルＣ２内に位置する無線端末ＵＥ５の接続先であり、無線端末ＵＥ５とダウンリンク通信を実行する。
【００３０】
制御装置１００Ａは、有線通信網であるバックボーンネットワーク上に設けられ、無線基地局ＢＳ１及び無線基地局ＢＳ２に有線接続される。制御装置１００Ａは、無線基地局ＢＳ１及び無線基地局ＢＳ２を制御する。
【００３１】
無線通信システム１０Ａには、マルチキャリア通信方式の一つである直交周波数分割多元接続（ＯＦＤＭＡ）方式が採用されている。ＯＦＤＭＡ方式では、複数のサブキャリアを用いてサブチャネルと呼ばれる通信チャネル（以下、チャネル）が構成され、当該チャネルが無線基地局から無線端末に割り当てられる。また、無線通信システム１０Ａには、複信方式として周波数分割複信（ＦＤＤ）方式が採用されている。
【００３２】
図１の例では、無線基地局ＢＳ１は、図２に示すチャネルＡを無線端末ＵＥ１に、チャネルＢを無線端末ＵＥ２に、チャネルＣを無線端末ＵＥ３に、チャネルＤを無線端末ＵＥ４にそれぞれ割り当てている。以下では、これらのチャネルを用いて無線基地局ＢＳ１が送信する無線信号を第１無線信号と称する。
【００３３】
無線基地局ＢＳ２は、図２に示すチャネルＡを無線端末ＵＥ５に割り当て、チャネルＢ，Ｃ，Ｄを不図示の他の無線端末に割り当てている。以下では、これらのチャネルを用いて無線基地局ＢＳ２が送信する無線信号を第２無線信号と称する。
【００３４】
無線端末ＵＥ１は、チャネルＡが用いられる第１無線信号を接続先の無線基地局ＢＳ１から所望信号として受信するとともに、チャネルＡが用いられる第２無線信号を無線基地局ＢＳ２から干渉信号として受信している。チャネルＡが用いられる第２無線信号は、無線基地局ＢＳ２からＤ１方向に向けて無線端末ＵＥ１に到来する。
【００３５】
なお、無線端末ＵＥ５は、チャネルＡが用いられる第２無線信号を無線基地局ＢＳ２から所望信号として受信する。チャネルＡが用いられる第２無線信号は、無線基地局ＢＳ２からＤ５方向に向けて無線端末ＵＥ１に到来する。
【００３６】
同様に、無線端末ＵＥ２は、チャネルＢが用いられる第１無線信号を接続先の無線基地局ＢＳ１から所望信号として受信するとともに、チャネルＢが用いられる第２無線信号を無線基地局ＢＳ２から干渉信号として受信している。チャネルＢが用いられる第２無線信号は、無線基地局ＢＳ２からＤ２方向に向けて無線端末ＵＥ２に到来する。
【００３７】
無線端末ＵＥ３は、チャネルＣが用いられる第１無線信号を接続先の無線基地局ＢＳ１から所望信号として受信するとともに、チャネルＣが用いられる第２無線信号を無線基地局ＢＳ２から干渉信号として受信している。チャネルＣが用いられる第２無線信号は、無線基地局ＢＳ２からＤ３方向に向けて無線端末ＵＥ３に到来する。
【００３８】
無線基地局ＢＳ１及び無線基地局ＢＳ２は、上述した閉ループＭＩＭＯに基づくダウンリンク通信を実行する。
【００３９】
具体的には、無線基地局ＢＳ１は、無線基地局ＢＳ１に設けられた複数のアンテナ（第１送信アンテナ）を介して、第１無線信号を無線端末ＵＥ１〜ＵＥ４に送信する。無線端末ＵＥ１〜ＵＥ４は、無線端末ＵＥ１〜ＵＥ４に設けられた複数のアンテナ（受信アンテナ）を介して第１無線信号をそれぞれ受信する。
【００４０】
無線基地局ＢＳ２は、無線基地局ＢＳ２に設けられた複数のアンテナ（第２送信アンテナ）を介して、第２無線信号を無線端末ＵＥ５に送信する。無線端末ＵＥ５は、無線端末ＵＥ５に設けられた複数のアンテナ（受信アンテナ）を介して第２無線信号を受信する。
【００４１】
第１実施形態では、ダウンリンク通信において、送信アンテナが４つであり、受信アンテナが２つであるＭＩＭＯ（いわゆる、４×２ＭＩＭＯ）について説明する。
【００４２】
無線端末ＵＥ１〜ＵＥ４それぞれは、無線基地局ＢＳ１から受信した第１無線信号を分析し、無線基地局ＢＳ１におけるマルチアンテナ送信を適応的に制御するためのフィードバック情報を周期的に無線基地局ＢＳ１に送信する。無線端末ＵＥ５は、無線基地局ＢＳ２から受信した第２無線信号を分析し、無線基地局ＢＳ２におけるマルチアンテナ送信を適応的に制御するためのフィードバック情報を周期的に無線基地局ＢＳ２に送信する。
【００４３】
ＬＴＥ規格において、フィードバック情報は、“ＲＩ(Rank Indicator)”、“ＰＭＩ(PrecodingMatrix Indicator)”、“ＣＱＩ(Channel Quality Indicator)”を含む。ＲＩは、信号系列であるストリーム（ＬＴＥ規格ではレイヤと称される）の数を制御するための情報である。ＰＭＩは、送信アンテナ重み（ＬＴＥ規格ではプリコーディングマトリクスと称される）を制御するための情報である。ＣＱＩは、送信電力および変調方式を制御するための情報である。また、ＲＩ、ＰＭＩ及びＣＱＩは、無線基地局ＢＳ１及びＢＳ２におけるリソーススケジューリングにも用いられる。
【００４４】
無線端末ＵＥ１〜ＵＥ４それぞれは、レイヤ数を決定し、決定したレイヤ数に対応するＲＩをフィードバック情報として無線基地局ＢＳ１に送信する。無線端末ＵＥ１〜ＵＥ４それぞれは、レイヤ数に応じて、受信品質（例えばＳＮＲ）が最大となるプリコーディングマトリクスを算出し、算出結果に応じたＰＭＩをフィードバック情報として無線基地局ＢＳ１に送信する。また、無線端末ＵＥ１〜ＵＥ４それぞれは、受信品質に対応するＣＱＩを求め、当該ＣＱＩをフィードバック情報として無線基地局ＢＳ１に送信する。無線基地局ＢＳ１は、フィードバック情報に従って、レイヤ数、プリコーディングマトリクス、送信電力および変調方式などを制御する。
【００４５】
同様に、無線端末ＵＥ５は、無線基地局ＢＳ２から受信した無線信号を分析し、無線基地局ＢＳ２におけるマルチアンテナ送信を適応的に制御するためのフィードバック情報（ＲＩ，ＰＭＩ，ＣＱＩ）を周期的に無線基地局ＢＳ２に送信する。
【００４６】
（１．２）無線通信システム１０Ａの概略動作  
次に、図３を用いて、無線通信システム１０Ａの概略動作について説明する。
【００４７】
無線端末ＵＥ１は、無線基地局ＢＳ２からの第２無線信号を干渉信号として受信した場合、無線端末ＵＥ１への第２無線信号の到来方向Ｄ１を推定し、到来方向Ｄ１に基づく干渉情報を無線基地局ＢＳ１に送信する。
【００４８】
また、無線端末ＵＥ２は、無線基地局ＢＳ２からの第２無線信号を干渉信号として受信した場合、無線端末ＵＥ２への第２無線信号の到来方向Ｄ２を推定し、到来方向Ｄ２に基づく干渉情報を無線基地局ＢＳ１に送信する。
【００４９】
無線端末ＵＥ３は、無線基地局ＢＳ２からの第２無線信号を干渉信号として受信した場合、無線端末ＵＥ３への第２無線信号の到来方向Ｄ３を推定し、到来方向Ｄ３に基づく干渉情報を無線基地局ＢＳ１に送信する。
【００５０】
例えば、無線端末ＵＥ１〜ＵＥ３は、上述したフィードバック情報と共に、干渉情報を無線基地局ＢＳ１に送信する。
【００５１】
無線基地局ＢＳ１は、無線端末ＵＥ１〜ＵＥ３から受信した干渉情報を制御装置１００Ａに中継する。制御装置１００Ａは、受信した干渉情報に基づいて、無線端末ＵＥ１〜ＵＥ３それぞれの方向（到来方向Ｄ１〜Ｄ３）に対して、無線基地局ＢＳ２に設けられた複数の送信アンテナが形成する指向性ビームのヌル点（不感点）を到来方向に向けるための制御情報を無線基地局ＢＳ２に送信する。
【００５２】
指向性ビームを形成しつつＭＩＭＯ通信を行う通信形態は、一般的にビームフォーミングＭＩＭＯと称される。
【００５３】
無線基地局ＢＳ２は、制御装置１００Ａから受信した制御情報と、無線端末ＵＥ５からフィードバックされるフィードバック情報とに基づいて、無線端末ＵＥ１〜ＵＥ３それぞれの方向Ｄ１〜Ｄ３にヌル点を向け、且つ、無線端末ＵＥ５の方向Ｄ５に指向性ビームを向けて、第２無線信号を送信する。
【００５４】
なお、干渉情報は、例えば、干渉信号の到来方向を示す係数又は角度を示す情報である。到来方向の推定には、既存の到来方向推定技術が利用できる。ただし、到来方向の推定には、無線端末の状態に応じて変化する相対的な方向を推定するのではなく、絶対的な方向が得られる必要がある。相対的な方向を得る到来方向推定技術を用いる場合には、無線端末に設けられたＧＰＳ又は方位センサなどと併用することで、絶対的な方向を得ることができる。
【００５５】
干渉情報の情報量を低減するためには、到来方向を示す係数又は角度を示す情報をＰＭＩに変換し、当該ＰＭＩを干渉情報として使用してもよい。この場合、無線端末ＵＥ１は、無線端末ＵＥ１の方向Ｄ１にヌル点を向けるプリコーディングマトリクスに対応するＰＭＩを干渉情報として無線基地局ＢＳ１に送信する。
【００５６】
同様に、無線端末ＵＥ２は、無線端末ＵＥ２の方向Ｄ２にヌル点を向けるプリコーディングマトリクスに対応するＰＭＩを干渉情報として無線基地局ＢＳ１に送信する。無線端末ＵＥ３は、無線端末ＵＥ３の方向Ｄ３にヌル点を向けるプリコーディングマトリクスに対応するＰＭＩを干渉情報として無線基地局ＢＳ１に送信する。
【００５７】
到来方向を示す係数又は角度を示す情報が干渉情報として使用される場合、制御情報としては、到来方向を示す係数又は角度を示す情報をそのまま使用する、又は、当該情報をＰＭＩに変換して使用することができる。ＰＭＩが干渉情報として使用される場合、制御情報としては、当該ＰＭＩをそのまま使用することができる。
【００５８】
干渉情報および制御情報としてＰＭＩを用いることで、干渉情報および制御情報の情報量を低減でき、無線通信システム１０Ａにおける実装を容易にすることができる。
【００５９】
（２）無線通信システム１０Ａの詳細構成  
次に、無線通信システム１０Ａの詳細構成について、（２．１）無線端末ＵＥ１の構成、（２．２）無線基地局ＢＳ１の構成、（２．３）制御装置１００Ａの構成、（２．４）無線基地局ＢＳ２の構成の順に説明する。なお、以下においては、本発明に関連する構成について主に説明する。
【００６０】
（２．１）無線端末ＵＥ１の構成  
図４は、無線端末ＵＥ１の構成を示す機能ブロック図である。他の無線端末（無線端末ＵＥ２〜無線端末ＵＥ５）は無線端末ＵＥ１と同様に構成されるため、ここでは、各無線端末を代表して無線端末ＵＥ１について説明する。
【００６１】
図４に示すように、無線端末ＵＥ１は、アンテナ２０１及び２０２、無線通信部２１０、制御部２２０および記憶部２３０を有する。
【００６２】
無線通信部２１０は、アンテナ２０１及び２０２を介して無線信号を受信する受信部２１１と、アンテナ２０１及び２０２を介して無線信号を送信する送信部２１２とを有する。受信部２１１は、無線基地局ＢＳ１から受信した第１無線信号に含まれる既知信号であるパイロット信号に基づいてチャネル推定を実行し、チャネル推定の結果を用いてフィードバック情報を生成する。送信部２１２は、生成されたフィードバック情報を無線基地局ＢＳ１に送信する。
【００６３】
制御部２２０は、例えばＣＰＵによって構成され、無線端末ＵＥ１が具備する各種機能を制御する。記憶部２３０は、例えばメモリによって構成され、無線端末ＵＥ１における制御などに用いられる各種情報を記憶する。
【００６４】
制御部２２０は、到来方向推定部２２１、及び干渉情報生成部２２２を有する。
【００６５】
到来方向推定部２２１は、受信部２１１が第２無線信号（干渉信号）を無線基地局ＢＳ２から受信した場合に、無線端末ＵＥ１への第２無線信号の到来方向Ｄ１を推定する。
【００６６】
干渉情報生成部２２２は、到来方向推定部２２１によって推定された到来方向Ｄ１に基づく干渉情報を生成する。上記のように干渉情報としてＰＭＩが用いられる場合には、記憶部２３０が到来方向Ｄ１とＰＭＩとの対応付けを予め保持しており、干渉情報生成部２２２は、当該対応付けからＰＭＩを生成（取得）する。そして、送信部２１２は、干渉情報を無線基地局ＢＳ１に送信する。
【００６７】
（２．２）無線基地局ＢＳ１の構成  
図５は、無線基地局ＢＳ１の構成を示す機能ブロック図である。
【００６８】
図５に示すように、無線基地局ＢＳ１は、アンテナ３０１〜３０４、無線通信部３１０、制御部３２０、記憶部３３０、及び有線通信部３４０を有する。
【００６９】
無線通信部３１０は、アンテナ３０１〜３０４を介して無線端末ＵＥ１〜ＵＥ４から無線信号を受信する受信部３１１と、アンテナ３０１〜３０４を介して無線端末ＵＥ１〜ＵＥ４に無線信号を送信する送信部３１２とを有する。受信部３１１は、受信した無線信号に含まれるフィードバック情報を取得する。また、受信部３１１は、受信した無線信号に含まれる干渉情報を取得する。
【００７０】
送信部３１２は、当該フィードバック情報に基づいてマルチアンテナ送信を制御する。具体的には、送信部３１２は、送信信号をＲＩに従って複数のレイヤに分配し、各レイヤの送信信号をＰＭＩに従って重み付け（以下、プリコーディング）し、プリコーディング後の送信信号に対してＣＱＩに従った適応変調及び送信電力制御を行う。
【００７１】
制御部３２０は、例えばＣＰＵによって構成され、無線基地局ＢＳ１が具備する各種機能を制御する。記憶部３３０は、例えばメモリによって構成され、無線基地局ＢＳ１における制御などに用いられる各種情報を記憶する。有線通信部３４０は、有線通信網を介して制御装置１００Ａに接続される。有線通信部３４０は、干渉情報を制御装置１００Ａに送信する。
【００７２】
（２．３）制御装置１００Ａの構成  
図６は、制御装置１００Ａの構成を示す機能ブロック図である。
【００７３】
図６に示すように、制御装置１００Ａは、有線通信部１１０、制御部１２０、及び記憶部１３０を有する。
【００７４】
有線通信部１１０は、有線通信網を介して無線基地局ＢＳ１及びＢＳ２に接続される。
【００７５】
有線通信部１１０は、信号を受信する受信部１１１と、信号を送信する送信部１１２とを有する。受信部１１１は、干渉情報を無線基地局ＢＳ１から受信する。
【００７６】
制御部１２０は、例えばＣＰＵによって構成され、制御装置１００Ａが具備する各種機能を制御する。記憶部１３０は、例えばメモリによって構成され、制御装置１００Ａにおける制御などに用いられる各種情報を記憶する。
【００７７】
制御部１２０は、干渉源特定部１２１、及び制御情報生成部１２２を有する。干渉源特定部１２１は、複数の無線基地局の中から、干渉源の無線基地局を特定する。干渉源の特定方法については後述する。制御情報生成部１２２は、受信部１１１が受信した干渉情報に基づいて制御情報を生成する。送信部１１２は、当該制御情報を無線基地局ＢＳ２に送信する。
【００７８】
（２．４）無線基地局ＢＳ２の構成  
図７は、無線基地局ＢＳ２の構成を示す機能ブロック図である。
【００７９】
図７に示すように、無線基地局ＢＳ２は、アンテナ４０１〜４０４、無線通信部４１０、制御部４２０、記憶部４３０、及び有線通信部４４０を有する。
【００８０】
無線通信部４１０は、アンテナ４０１〜４０４を介して無線端末ＵＥ５から無線信号を受信する受信部４１１と、アンテナ４０１〜４０４を介して無線信号を無線端末ＵＥ５に送信する送信部４１２とを有する。
【００８１】
受信部４１１は、無線端末ＵＥ５から受信した無線信号に含まれるフィードバック情報を取得する。送信部４１２は、当該フィードバック情報に基づいてマルチアンテナ送信を制御する。具体的には、送信部４１２は、送信信号をＲＩに従って複数のレイヤに分配し、各レイヤの送信信号をＰＭＩに従ってプリコーディングし、プリコーディング後の送信信号に対してＣＱＩに従った適応変調及び送信電力制御を行う。
【００８２】
制御部４２０は、例えばＣＰＵによって構成され、無線基地局ＢＳ２が具備する各種機能を制御する。記憶部４３０は、例えばメモリによって構成され、無線基地局ＢＳ２における制御などに用いられる各種情報を記憶する。有線通信部４４０は、有線通信網を介して制御装置１００Ａに接続される。有線通信部４４０は、制御装置１００Ａから制御情報を受信する。
【００８３】
制御部４２０は、情報取得部４２１、及び送信指向性制御部４２２を有する。情報取得部４２１は、他の無線基地局（無線基地局ＢＳ１）と通信中に第２無線信号を干渉信号として受信する無線端末ＵＥ１〜ＵＥ３の方向にヌル点を向けるための制御情報を取得する取得部を構成する。
【００８４】
送信指向性制御部４２２は、無線端末ＵＥ５からフィードバックされたフィードバック情報に基づいて、アンテナ４０１〜４０４が形成する指向性ビームを制御する制御部を構成する。具体的には、無線端末ＵＥ５からフィードバックされたＰＭＩに対応するプリコーディングマトリクスを用いたプリコーディングによって、アンテナ４０１〜４０４が形成する指向性ビームを無線端末ＵＥ５の方向に向けることができる。さらに、送信指向性制御部４２２は、フィードバック情報と、情報取得部４２１が取得した制御情報とに基づいて、無線端末ＵＥ５の方向Ｄ５に指向性ビームを向け、且つ、無線端末ＵＥ１〜ＵＥ３の方向Ｄ１〜Ｄ３にヌル点を向ける。
【００８５】
（３）無線基地局ＢＳ２における送信指向性制御  
次に、図８及び図９を用いて、送信指向性制御部４２２によって実行される送信指向性制御の詳細について説明する。ここでは、無線端末ＵＥ１の方向（Ｄ１方向）にヌル点を向ける場合を例に説明する。
【００８６】
送信指向性制御部４２２は、制御情報に基づいて、無線端末ＵＥ１の方向（Ｄ１方向）にヌル点を向けるプリコーディングマトリクスグループを選択する。プリコーディングマトリクスグループとは、図８に示すように、同一方向にヌル点を有する複数のプリコーディングマトリクスからなるグループであり、記憶部４３０に予め記憶されている。図８の例では、それぞれ異なる方向にヌル点を有するプリコーディングマトリクスグループ１〜８を図示している。
【００８７】
プリコーディングマトリクスグループは、図９に示すように、それぞれ異なる方向に指向性ビームを有する複数のプリコーディングマトリクスを含む。図９の例では、プリコーディングマトリクスグループ１に含まれるプリコーディングマトリクス１〜６それぞれは、指向性ビームを６方向に有している。プリコーディングマトリクス１〜６それぞれの指向性ビームのパターンは異なっている。
【００８８】
送信指向性制御部４２２は、無線端末ＵＥ１の方向Ｄ１にヌル点を有するプリコーディングマトリクスグループの中から、無線端末ＵＥ５からフィードバックされたフィードバック情報（具体的には、ＰＭＩ）に基づいて、無線端末ＵＥ５の方向Ｄ５に指向性ビームを有するプリコーディングマトリクスを選択する。選択されたプリコーディングマトリクスは、送信部４１２におけるプリコーディングに適用される。
【００８９】
（４）無線通信システムの動作  
図１０は、無線通信システム１０Ａの動作を示す動作シーケンス図である。図１０においては、ＬＴＥ規格に従ったフィードバック情報（ＲＩ，ＰＭＩ，ＣＱＩ）のうち、ＰＭＩのみを図示して説明する。なお、図１０に示す動作シーケンスは、所定の時間間隔（例えば、通信フレーム単位）で繰り返し実行される。
【００９０】
ステップＳ１０１，Ｓ１０３及びＳ１０５において、無線基地局ＢＳ１の送信部３１２は、チャネルＡが用いられる第１無線信号を無線端末ＵＥ１に、チャネルＢが用いられる第１無線信号を無線端末ＵＥ２に、チャネルＣが用いられる第１無線信号を無線端末ＵＥ３にそれぞれ送信する。
【００９１】
ステップＳ１０２，Ｓ１０４及びＳ１０６において、無線基地局ＢＳ２の送信部４１２は、チャネルＡが用いられる第２無線信号を無線端末ＵＥ５に、チャネルＢが用いられる第２無線信号を無線端末ＵＥ６（不図示）に、チャネルＣが用いられる第２無線信号を無線端末ＵＥ７（不図示）にそれぞれ送信する。その際、無線基地局ＢＳ１のセルフリンジに位置する無線端末ＵＥ１，ＵＥ２及びＵＥ３は、無線基地局ＢＳ１が送信する第１無線信号を所望信号として受信するとともに、無線基地局ＢＳ２が送信する第２無線信号を干渉信号として受信する。
【００９２】
ステップＳ１０７ａ，Ｓ１０７ｂ及びＳ１０７ｃにおいて、無線端末ＵＥ１，ＵＥ２及びＵＥ３それぞれの受信部２１１は、無線基地局ＢＳ１から受信した第１無線信号に含まれるパイロット信号に基づいて、無線伝搬路のチャネル応答を実行するチャネル推定を実行する。無線端末ＵＥ１，ＵＥ２及びＵＥ３それぞれの受信部２１１は、無線基地局ＢＳ２から受信した第２無線信号に含まれるパイロット信号、又は、当該第２無線信号に含まれるセルＩＤに基づいて、無線基地局ＢＳ２を識別する基地局識別情報を取得する。
【００９３】
ステップＳ１０８ａ，Ｓ１０８ｂ及びＳ１０８ｃにおいて、無線端末ＵＥ１，ＵＥ２及びＵＥ３それぞれの受信部２１１は、推定されたチャネル応答に基づいて、プリコーディングマトリクスを計算し、計算したプリコーディングマトリクスに対応するＰＭＩを取得する。
【００９４】
ステップＳ１０９ａにおいて、無線端末ＵＥ１の到来方向推定部２２１は、無線端末ＵＥ１への第２無線信号の到来方向Ｄ１を推定する。無線端末ＵＥ１の干渉情報生成部２２２は、到来方向Ｄ１に基づく干渉情報を生成する。
【００９５】
ステップＳ１０９ｂにおいて、無線端末ＵＥ２の到来方向推定部２２１は、無線端末ＵＥ２への第２無線信号の到来方向Ｄ２を推定する。無線端末ＵＥ２の干渉情報生成部２２２は、到来方向Ｄ２に基づく干渉情報を生成する。
【００９６】
ステップＳ１０９ｃにおいて、無線端末ＵＥ３の到来方向推定部２２１は、無線端末ＵＥ３への第２無線信号の到来方向Ｄ３を推定する。無線端末ＵＥ３の干渉情報生成部２２２は、到来方向Ｄ３に基づく干渉情報を生成する。
【００９７】
ステップＳ１１０ａ，Ｓ１１０ｂ及びＳ１１０ｃにおいて、無線端末ＵＥ１，ＵＥ２及びＵＥ３それぞれの受信部２１１は、推定されたチャネル応答に基づいて、受信信号を等化（チャネル等化）し、等化した受信信号を復号する。復号された受信信号は、無線端末ＵＥ１，ＵＥ２及びＵＥ３それぞれの制御部２２０に入力される。
【００９８】
ステップＳ１１１ａ，Ｓ１１１ｂ及びＳ１１１ｃにおいて、無線端末ＵＥ１，ＵＥ２及びＵＥ３それぞれの送信部２１２は、干渉情報、ＰＭＩ及び基地局識別情報を無線基地局ＢＳ１に送信する。無線基地局ＢＳ１の受信部３１１は、干渉情報、ＰＭＩ及び基地局識別情報を受信する。
【００９９】
ステップＳ１１２において、無線基地局ＢＳ１の送信部３１２は、無線端末ＵＥ１から受信したＰＭＩに対応するプリコーディングマトリクスを選択する。送信部３１２は、チャネルＡが用いられる第１無線信号を無線端末ＵＥ１に次回送信する際に、無線端末ＵＥ１から受信したＰＭＩに対応するプリコーディングマトリクスを用いたプリコーディングを行う。
【０１００】
同様に、無線基地局ＢＳ１の送信部３１２は、チャネルＢが用いられる第１無線信号を無線端末ＵＥ２に次回送信する際に、無線端末ＵＥ２から受信したＰＭＩに対応するプリコーディングマトリクスを用いたプリコーディングを行う。送信部３１２は、チャネルＣが用いられる第１無線信号を無線端末ＵＥ３に次回送信する際に、無線端末ＵＥ３から受信したＰＭＩに対応するプリコーディングマトリクスを用いたプリコーディングを行う。
【０１０１】
ステップＳ１１３において、無線基地局ＢＳ１の有線通信部３４０は、無線端末ＵＥ１，ＵＥ２及びＵＥ３それぞれから受信した干渉情報及び基地局識別情報を制御装置１００Ａに送信する。制御装置１００Ａの受信部１１１は、干渉情報及び基地局識別情報を受信する。
【０１０２】
ステップＳ１１４において、制御装置１００Ａの干渉源特定部１２１は、受信部１１１が受信した基地局識別情報に基づいて、複数の無線基地局の中から無線基地局ＢＳ２を干渉源として特定する。制御装置１００Ａの制御情報生成部１２２は、受信部１１１が受信した干渉情報に基づいて、干渉源特定部１２１によって特定された無線基地局ＢＳ２宛ての制御情報を生成する。具体的には、制御情報生成部１２２は、チャネルＡ（無線端末ＵＥ１）に対応する制御情報と、チャネルＢ（無線端末ＵＥ２）に対応する制御情報と、チャネルＣ（無線端末ＵＥ３）に対応する制御情報とを生成する。
【０１０３】
ステップＳ１１３において、制御装置１００Ａの送信部１１２は、制御情報生成部１２２によって生成された制御情報を無線基地局ＢＳ２に送信する。無線基地局ＢＳ２の有線通信部４４０は、制御情報を受信する。
【０１０４】
一方で、無線基地局ＢＳ２の受信部４１１は、無線基地局ＢＳ２を接続先とする無線端末ＵＥ５、無線端末ＵＥ６（不図示）、及び無線端末ＵＥ７（不図示）から、フィードバック情報としてのＰＭＩを受信している。無線基地局ＢＳ２の情報取得部４２１は、制御情報を有線通信部４４０から取得し、ＰＭＩを受信部４１１から取得する。
【０１０５】
ステップＳ１１６において、無線基地局ＢＳ２の送信指向性制御部４２２は、チャネルＡが用いられる第２無線信号を送信部４１２が送信する場合に、無線端末ＵＥ５の方向Ｄ５に指向性ビームを向け、且つ、無線端末ＵＥ１のＤ１にヌル点を向けるように送信部４１２を制御する。具体的には、送信指向性制御部４２２は、無線端末ＵＥ１の方向Ｄ１方向にヌル点を向けるプリコーディングマトリクスグループの中から、無線端末ＵＥ５の方向Ｄ５に指向性ビームを向けるプリコーディングマトリクスを選択する。
【０１０６】
同様に、送信指向性制御部４２２は、チャネルＢが用いられる第２無線信号を送信部４１２が送信する場合に、無線端末ＵＥ６（不図示）の方向に指向性ビームを向け、且つ、無線端末ＵＥ２の方向（Ｄ２方向）にヌル点を向けるように送信部４１２を制御する。
【０１０７】
また、送信指向性制御部４２２は、チャネルＣが用いられる第２無線信号を送信部４１２が送信する場合に、無線端末ＵＥ７（不図示）の方向に指向性ビームを向け、且つ、無線端末ＵＥ３の方向（Ｄ３方向）にヌル点を向けるように送信部４１２を制御する。
【０１０８】
（５）効果  
第１実施形態に係る無線通信システム１０Ａによれば、無線端末ＵＥ１〜ＵＥ３が無線基地局ＢＳ２から第２無線信号を干渉信号として受信する場合に、無線基地局ＢＳ２において、無線端末ＵＥ１〜ＵＥ３の方向Ｄ１〜Ｄ３にヌル点を向ける。このため、無線端末ＵＥ１が第２無線信号（干渉信号）を受信することを回避でき、無線端末ＵＥ１における通信品質を十分に改善することができる。このように、干渉信号の発生を元から防ぐことで、セルスループットが増大するとともに各無線端末に高速なダウンリンク通信を提供できる。
【０１０９】
第１実施形態では、無線基地局ＢＳ２の送信指向性制御部４２２は、制御装置１００Ａから受信した制御情報と、無線端末ＵＥ５からフィードバックされるフィードバック情報とに基づいて、無線端末ＵＥ１〜ＵＥ３の方向Ｄ１〜Ｄ３にヌル点を向け、且つ、無線端末ＵＥ５の方向Ｄ５に指向性ビームを向けて、第２無線信号を送信する。したがって、無線端末ＵＥ１における通信品質を十分に改善しつつ、無線端末ＵＥ５における通信品質も良好に保つことができる。
【０１１０】
第１実施形態では、制御装置１００Ａの干渉源特定部１２１は、基地局識別情報に基づいて、複数の無線基地局の中から無線基地局ＢＳ２を特定し、特定した無線基地局ＢＳ２に制御情報を送信する。これにより、干渉源の候補となる無線基地局が複数存在する場合であっても干渉源を容易に特定でき、制御情報を適切な無線基地局に対して送信できる。
【０１１１】
［第１実施形態の変更例１］  
上述した第１実施形態では、制御装置１００Ａの干渉源特定部１２１は、基地局識別情報に基づいて、複数の無線基地局の中から干渉源の無線基地局ＢＳ２を特定していたが、次のような方法で干渉源を特定してもよい。
【０１１２】
本変更例では、制御装置１００Ａの記憶部１３０は、干渉情報と各無線基地局とを対応付けた対応情報を予め保持している。制御装置１００Ａの干渉源特定部１２１は、受信部１１１が受信した干渉情報と、保持している対応情報とに基づいて、複数の無線基地局の中から干渉源の無線基地局ＢＳ２を特定する。
【０１１３】
このような方法によれば、基地局識別情報を送受信する必要がないため、第１実施形態よりも、送受信される情報量を低減できる。
【０１１４】
［第１実施形態の変更例２］  
上述した第１実施形態では、干渉情報及び制御情報として、到来方向を示す係数又は角度を示す情報、又は、ＰＭＩが使用されていた。
【０１１５】
しかしながら、無線端末ＵＥ１，ＵＥ２及びＵＥ３それぞれの位置を示す位置情報を干渉情報及び制御情報として使用してもよい。この場合、ＧＰＳを利用した位置検出などの既存の位置検出手法を用いることができる。位置情報を干渉情報及び制御情報として使用する場合、無線基地局ＢＳ２の送信指向性制御部４２２は、無線端末ＵＥ１，ＵＥ２及びＵＥ３それぞれの位置から、無線端末ＵＥ１，ＵＥ２及びＵＥ３それぞれの方向を特定すればよい。
【０１１６】
［第１実施形態の変更例３］  
上述した第１実施形態では、無線基地局ＢＳ２の情報取得部４２１は、制御情報として、到来方向を示す係数又は角度を示す情報、又は、ＰＭＩを取得していたが、他の方法で制御情報を取得してもよい。
【０１１７】
具体的には、無線端末ＵＥ１，ＵＥ２及びＵＥ３から上り無線信号を無線基地局ＢＳ２が受信する場合に、情報取得部４２１は、当該上り無線信号の到来方向を推定し、推定した到来方向を示す情報を制御情報として取得してもよい。この場合、無線基地局ＢＳ２の送信指向性制御部４２２は、当該上り無線信号の到来方向から、無線端末ＵＥ１，ＵＥ２及びＵＥ３それぞれの方向を特定すればよい。
【０１１８】
［第２実施形態］  
上述した第１実施形態では、制御装置１００Ａが、無線基地局ＢＳ１と無線基地局ＢＳ２とは個別に設けられていた。第２実施形態では、制御装置１００Ａが無線基地局ＢＳ１に含まれる形態について説明する。
【０１１９】
なお、第２実施形態においては、（１）無線通信システム１０Ｂの構成、（２）無線通信システムの動作、（３）効果について説明する。
【０１２０】
（１）無線通信システム１０Ｂの構成  
図１１は、第２実施形態に係る無線通信システム１０Ｂの全体構成図である。
【０１２１】
図１１に示すように、無線通信システム１０Ｂにおいて、無線基地局ＢＳ２’は、制御装置１００Ｂの機能を有している。具体的には、図１２に示すように、無線基地局ＢＳ２’の制御部３２０は、干渉源を特定する干渉源特定部３２１と、制御情報を生成する制御情報生成部３２２とを有する。干渉源特定部３２１及び制御情報生成部３２２それぞれの機能は、第１実施形態で説明した干渉源特定部１２１及び制御情報生成部１２２それぞれの機能と同様である。
【０１２２】
（２）無線通信システムの動作  
図１３は、無線通信システム１０Ｂの動作を示す動作シーケンス図である。図１３において、ステップＳ２１３までの各処理は第１実施形態と同様であるため、ステップＳ２１３以降の処理について説明する。
【０１２３】
ステップＳ２１３において、無線基地局ＢＳ１’の干渉源特定部３２１は、受信部３１１が受信した基地局識別情報に基づいて、複数の無線基地局の中から無線基地局ＢＳ２を干渉源として特定する。無線基地局ＢＳ１’の制御情報生成部３２２は、受信部３１１が受信した干渉情報に基づいて、干渉源特定部３２１によって特定された無線基地局ＢＳ２宛ての制御情報を生成する。
【０１２４】
具体的には、制御情報生成部３２２は、チャネルＡ（無線端末ＵＥ１）に対応する制御情報と、チャネルＢ（無線端末ＵＥ２）に対応する制御情報と、チャネルＣ（無線端末ＵＥ３）に対応する制御情報とを生成する。
【０１２５】
ステップＳ２１４において、無線基地局ＢＳ１’の有線通信部３４０は、制御情報生成部３２２によって生成された制御情報を無線基地局ＢＳ２に送信する。無線基地局ＢＳ２の有線通信部４４０は、制御情報を受信する。
【０１２６】
ステップＳ２１５において、無線基地局ＢＳ２の送信指向性制御部４２２は、チャネルＡが用いられる第２無線信号を送信部４１２が送信する場合に、無線端末ＵＥ５の方向Ｄ５に指向性ビームを向け、且つ、無線端末ＵＥ１の方向Ｄ１にヌル点を向けるように送信部４１２を制御する。
【０１２７】
同様に、送信指向性制御部４２２は、チャネルＢが用いられる第２無線信号を送信部４１２が送信する場合に、無線端末ＵＥ６（不図示）の方向に指向性ビームを向け、且つ、無線端末ＵＥ２の方向Ｄ２にヌル点を向けるように送信部４１２を制御する。
【０１２８】
また、送信指向性制御部４２２は、チャネルＣが用いられる第２無線信号を送信部４１２が送信する場合に、無線端末ＵＥ７（不図示）の方向に指向性ビームを向け、且つ、無線端末ＵＥ３の方向Ｄ３にヌル点を向けるように送信部４１２を制御する。
【０１２９】
（３）効果  
第２実施形態に係る無線通信システム１０Ｂによれば、第１実施形態の効果に加えて、次のような効果が得られる。すなわち、制御装置１００Ｂを別途設ける必要がないため、制御装置１００Ｂの設置コストを削減できる。
【０１３０】
［その他の実施形態］  
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１３１】
例えば、第１実施形態の変更例１〜３それぞれは、第１実施形態に限らず、第２実施形態に対しても適用可能である。
【０１３２】
上述した第１及び第２実施形態では、無線端末ＵＥ１〜ＵＥ３それぞれが、無線基地局ＢＳ２から第２無線信号を受信した場合に、当該第２無線信号を干渉信号とみなしていたが、所定の受信レベル未満の第２無線信号を許容してもよい。この場合、無線端末ＵＥ１〜ＵＥ３それぞれは、無線基地局ＢＳ２から第２無線信号を受信し、且つ、当該第２無線信号の受信レベルが所定の受信レベル以上である場合に、当該第２無線信号を干渉信号とみなすことになる。
【０１３３】
第１及び第２実施形態では、複信方式としてＦＤＤ方式が採用されていたが、ＦＤＤ方式に代えて時分割複信（ＴＤＤ）方式が採用されてもよい。
【０１３４】
第１及び第２実施形態では、ダウンリンク通信において、送信アンテナが４つであり、受信アンテナが２つである場合（４×２ＭＩＭＯ）について説明した。しかしながら、ダウンリンク通信において、受信アンテナが１つである場合、すなわち、複数入力一出力（ＭＩＳＯ）のマルチアンテナ送信が実施される形態でもよい。
【０１３５】
第１及び第２実施形態では、無線基地局ＢＳ１及びＢＳ２それぞれが複数の無線端末と無線通信を実行していたが、無線基地局ＢＳ１及びＢＳ２それぞれが１つの無線端末と無線通信を実行する形態でもよい。
【０１３６】
第１及び第２実施形態では、ＬＴＥ規格に基づく無線通信システム１０Ａ及び１０Ｂについて説明したが、ＬＴＥ規格に限らず、ＷｉＭＡＸ規格（ＩＥＥＥ ８０２．１６）に基づく無線通信システムや、３ＧＰＰ２において標準化されているＵＭＢ（Ultra Mobile Broadband）規格など対しても本発明を適用可能である。
【０１３７】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【０１３８】
１０Ａ，１０Ｂ…無線通信システム、１００Ａ，１００Ｂ…制御装置、１１０…有線通信部、１１１…受信部、１１２…送信部、１２０…制御部、１２１…干渉源特定部、１２２…制御情報生成部、１３０…記憶部、２０１，２０２…アンテナ、２１０…無線通信部、２１１…受信部、２１２…送信部、２２０…制御部、２２１…到来方向推定部、２２２…干渉情報生成部、２３０…記憶部、３０１〜３０４…アンテナ、３１０…無線通信部、３１１…受信部、３１２…送信部、３２０…制御部、３２１…干渉源特定部、３２２…制御情報生成部、３３０…記憶部、３４０…有線通信部、４０１〜４０４…アンテナ、４１０…無線通信部、４１１…受信部、４１２…送信部、４２０…制御部、４２１…情報取得部、４２２…送信指向性制御部、４３０…記憶部、４４０…有線通信部
【図１】
0005518230.tif 000002
【図２】
0005518230.tif 000003
【図３】
0005518230.tif 000004
【図４】
0005518230.tif 000005
【図５】
0005518230.tif 000006
【図６】
0005518230.tif 000007
【図７】
0005518230.tif 000008
【図８】
0005518230.tif 000009
【図９】
0005518230.tif 000010
【図１０】
0005518230.tif 000011
【図１１】
0005518230.tif 000012
【図１２】
0005518230.tif 000013
【図１３】
0005518230.tif 000014